(57)【特許請求の範囲】
【請求項１】
パケット交換ソース・ネットワークに接続され、単一無線を使用するユーザ装置上の音声呼出しの、回線交換ターゲット・ネットワークへの移行をサポートする方法であって、  中間サーバで第１送信勧誘移行要求メッセージ（ｆｉｒｓｔ  ｉｎｖｉｔｅ  ｔｒａｎｓｉｔｉｏｎ  ｒｅｑｕｅｓｔ  ｍｅｓｓａｇｅ）を受信するステップであって、前記第１送信勧誘移行要求メッセージが、前記ユーザ装置の前記ターゲット・ネットワークとの接続に関連する単一無線音声呼出し連続性要求識別子およびセッション記述プロトコル情報を有するステップと、
アプリケーション・サーバに前記第１送信勧誘移行要求メッセージを送信するステップであって、前記第１送信勧誘移行要求メッセージが前記単一無線音声呼出し連続性要求識別子を有し、前記アプリケーション・サーバが、前記単一無線音声呼出し連続性要求識別子の存在に基づいて、前記ユーザ装置に対するサポートを前記回線交換ターゲット・ネットワークに移行するステップと、
前記中間サーバで第２送信勧誘移行要求メッセージを受信するステップであって、前記第２送信勧誘移行要求メッセージが、セッションの媒体のための前記ターゲット・ネットワークでの回線交換リソースの使用を示す単一無線音声呼出し連続性要求識別子およびセッション記述プロトコル情報を有するステップと、
前記アプリケーション・サーバに前記第２送信勧誘移行要求メッセージを送信するステップであって、前記第２送信勧誘移行要求メッセージが前記単一無線音声呼出し連続性要求識別子を有し、前記アプリケーション・サーバが、前記第１送信勧誘要求メッセージを前記第２送信勧誘要求メッセージと相関付け、前記アプリケーション・サーバが、前記第２送信勧誘移行要求を受信後に前記ソース・ネットワーク上のリソースを解放するステップと
を含む方法。
【請求項２】
前記第１送信勧誘メッセージ内の前記セッション記述プロトコル情報が、前記ターゲット・ネットワークのためのＩＰアドレス指定を含む請求項１に記載の方法。
【請求項３】
前記第１送信勧誘メッセージ内の前記セッション記述プロトコル情報が、前記ターゲット・ネットワークのために使用されるポート番号を含む請求項１に記載の方法。
【請求項４】
前記第２送信勧誘メッセージ内の前記セッション記述プロトコル情報が、前記ターゲット・ネットワークのためのＩＰアドレス指定を含む請求項１に記載の方法。
【請求項５】
パケット交換ソース・ネットワークに接続され、単一無線を使用するユーザ装置上の音声呼出しの、回線交換ターゲット・ネットワークへの移行をサポートする方法であって、  中間サーバで第１送信勧誘移行要求メッセージを受信するステップであって、前記第１送信勧誘移行要求メッセージが、前記ユーザ装置の前記ターゲット・ネットワークとの接続に関連する単一無線音声呼出し連続性要求識別子およびセッション記述プロトコル情報を有するステップと、
アプリケーション・サーバに前記第１送信勧誘移行要求メッセージを送信するステップであって、前記第１送信勧誘移行要求メッセージが前記単一無線音声呼出し連続性要求識別子を有し、前記アプリケーション・サーバが、前記単一無線音声呼出し連続性要求識別子の存在に基づいて、前記ユーザ装置に対するサポートを前記回線交換ターゲット・ネットワークに移行するステップと
を含む方法。
【請求項６】
前記第１送信勧誘メッセージ内の前記セッション記述プロトコル情報が、前記ターゲット・ネットワークのためのＩＰアドレス指定を含む請求項５に記載の方法。
【請求項７】
前記第１送信勧誘メッセージ内の前記セッション記述プロトコル情報が、前記ターゲット・ネットワークのために使用されるポート番号を含む請求項５に記載の方法。
【請求項８】
前記中間サーバで第２送信勧誘移行要求メッセージを受信するステップであって、前記第２送信勧誘移行要求メッセージが、セッションの媒体のための前記ターゲット・ネットワークでの回線交換リソースの使用を示す相関情報およびセッション記述プロトコル情報を有するステップと、
前記アプリケーション・サーバに送信勧誘移行要求メッセージを送信するステップであって、前記第２送信勧誘移行要求メッセージが相関情報を有し、前記アプリケーション・サーバが、送信勧誘メッセージ・タイプに基づいて、前記第１送信勧誘要求メッセージから受信したパラメータを前記第２送信勧誘要求メッセージから受信したパラメータと相関付け、前記アプリケーション・サーバが、前記第２送信勧誘移行要求を受信後に前記ソース・ネットワーク上のリソースを解放するステップと
をさらに含む請求項５に記載の方法。
【請求項９】
前記第１送信勧誘メッセージ内の前記セッション記述プロトコル情報が、前記ターゲット・ネットワークのためのＩＰアドレス指定を含む請求項８に記載の方法。
【請求項１０】
前記第１送信勧誘メッセージ内の前記セッション記述プロトコル情報が、前記ターゲット・ネットワークのために使用されるポート番号を含む請求項８に記載の方法。
【請求項１１】
前記第２送信勧誘メッセージ内の前記セッション記述プロトコル情報が、前記ターゲット・ネットワークのためのＩＰアドレス指定を含む請求項８に記載の方法。
【請求項１２】
パケット交換ソース・ネットワークに接続され、単一無線を使用するユーザ装置上の単一無線音声呼出しの、回線交換ターゲット・ネットワークへの移行をサポートする方法であって、
アプリケーション・サーバで第１送信勧誘移行要求メッセージを受信するステップであって、前記第１送信勧誘移行要求メッセージが、前記ユーザ装置の前記ターゲット・ネットワークとの接続に関連する単一無線音声呼出し連続性要求識別子およびセッションおよび記述プロトコル情報を有し、前記アプリケーション・サーバが、前記単一無線音声呼出し連続性要求識別子の存在に基づいて、前記ユーザ装置に対するサポートを前記回線交換ターゲット・ネットワークに移行するステップと、
前記アプリケーション・サーバで第２送信勧誘移行要求メッセージを受信するステップであって、前記第２送信勧誘移行要求メッセージが、セッションの媒体のためのターゲット・ネットワークでの回線交換リソースの使用を示す相関情報およびセッション記述プロトコル情報を有し、前記アプリケーション・サーバが、メッセージ・タイプに基づいて、前記第１送信勧誘要求メッセージから受信したパラメータを前記第２送信勧誘要求メッセージから受信したパラメータと相関付け、前記アプリケーション・サーバが、前記第２送信勧誘移行要求を受信後に前記ソース・ネットワーク上のリソースを解放するステップとを含む方法。
【請求項１３】
前記第１送信勧誘メッセージ内の前記セッション記述プロトコル情報が、前記ターゲット・ネットワークのためのＩＰアドレス指定を含む請求項１２に記載の方法。
【請求項１４】
前記第１送信勧誘メッセージ内の前記セッション記述プロトコル情報が、前記ターゲット・ネットワークのために使用されるポート番号を含む請求項１２に記載の方法。
【請求項１５】
前記第２送信勧誘メッセージ内の前記セッション記述プロトコル情報が、前記ターゲット・ネットワークのためのＩＰアドレス指定を含む請求項１２に記載の方法。
【請求項１６】
単一無線を使用するユーザ装置上の音声呼出しの移行をサポートする通信システムであって、
単一無線を使用する前記ユーザ装置上の前記音声呼出しをサポートする１つまたは複数のサーバおよび１つまたは複数の中間サーバを有するソース・ネットワークであって、前記サーバがアプリケーション・サーバに結合されるソース・ネットワークと、
単一無線を使用する前記ユーザ装置上の前記音声呼出しをサポートする１つまたは複数のサーバおよび１つまたは複数の中間サーバを有するターゲット・ネットワークであって、サーバが前記アプリケーション・サーバに結合されるターゲット・ネットワークと
を備え、
前記アプリケーション・サーバが、前記ユーザ装置の前記ターゲット・ネットワークとの接続に関連する単一無線音声呼出し連続性要求識別子およびセッション記述プロトコル情報を有する第１送信勧誘移行要求メッセージを受信し、前記アプリケーション・サーバが、前記単一無線音声呼出し連続性要求識別子の存在に基づいて、前記ユーザ装置に対するサポートを前記回線交換ターゲット・ネットワークに移行する通信システム。
【請求項１７】
前記第１送信勧誘メッセージ内の前記セッション記述プロトコル情報が、前記ターゲット・ネットワークのためのＩＰアドレス指定を含む請求項１６に記載の通信システム。
【請求項１８】
前記第１送信勧誘メッセージ内の前記セッション記述プロトコル情報が、前記ターゲット・ネットワークのために使用されるポート番号を含む請求項１６に記載の通信システム。
【請求項１９】
前記アプリケーション・サーバが第２送信勧誘移行要求メッセージを受信し、前記第２送信勧誘移行要求メッセージが、セッションの媒体のための前記ターゲット・ネットワークでの回線交換リソースの使用を示す相関情報およびセッション記述プロトコル情報を有し、前記アプリケーション・サーバが、前記第１送信勧誘要求メッセージから受信したパラメータを前記第２送信勧誘要求メッセージから受信したパラメータと相関付け、前記アプリケーション・サーバが、前記第２送信勧誘移行要求を受信後に前記ソース・ネットワーク上のリソースを解放する請求項１６に記載の通信システム。
【請求項２０】
前記第１送信勧誘メッセージ内の前記セッション記述プロトコル情報が、前記ターゲット・ネットワークのためのＩＰアドレス指定を含む請求項１９に記載の通信システム。
【請求項２１】
前記第１送信勧誘メッセージ内の前記セッション記述プロトコル情報が、前記ターゲット・ネットワークのために使用されるポート番号を含む請求項１９に記載の通信システム。
【請求項２２】
前記第２送信勧誘メッセージ内の前記セッション記述プロトコル情報が、前記ターゲット・ネットワークのためのＩＰアドレス指定を含む請求項１９に記載の通信システム。
【発明の詳細な説明】
【技術分野】
【０００１】
関連出願データ
本願は、２００８年４月３０日出願の仮特許出願第６１／０４９１８０号に関連し、米国特許法第１１９条（ｅ）項の下で先のこの出願に対する優先権を主張する。この仮特許出願はさらに、参照により本特許出願に組み込まれる。
【０００２】
回線交換ネットワークへの移行における単一無線音声呼出し通信の連続性をサポートする方法。
【背景技術】
【０００３】
ＩＰベースのモバイル・システムは、ワイヤレス通信ネットワーク上のモバイル・ユーザ装置を使用する通信を実現する。諸要素の中でもとりわけ、あるワイヤレス通信システムから別のワイヤレス通信システムへの接続性の移行は、通信サービスの移行で、ソース・ネットワークおよびターゲット・ネットワークを伴う。ユーザ装置、ソース・ネットワーク、およびターゲット・ネットワークは、使用される用語、および特定のネットワーク構成または通信システムで使用されるベース技術に応じて、異なる名前で呼ばれることがある。
【０００４】
例えば、「ユーザ装置」という用語は、モバイル・ノード（ｍｏｂｉｌｅ  ｎｏｄｅ）または移動体通信ユニット（ｍｏｂｉｌｅ  ｃｏｍｍｕｎｉｃａｔｉｏｎ  ｕｎｉｔ）［例えば、以下でより詳細に説明するように、移動端末、「スマート・フォン」、ワイヤレス接続性を有するラップトップＰＣなどのノマディック（ｎｏｍａｄｉｃ）装置］を含み、「ユーザ装置」は、特定のシステム・プロバイダで採用される用語に応じて、モバイル・ノード、モバイル・ユニット、移動端末、モバイル装置、または同様の名前で呼ばれることがある。セルラ・ネットワークに対する直接的ワイヤレス接続性は、インターネット・アクセス、Ｅメール、メッセージング・サービスなどの様々な特徴および機能を有する移動端末（「携帯電話」）の様々な構成および機能をサポートする。しかし、一般には、「ユーザ装置」は、ワイヤレス・ネットワークに対する配線された（例えば、電話回線［「撚線対」（ｔｗｉｓｔｅｄ  ｐａｉｒ）］、イーサネット・ケーブル、光ケーブルなど）接続性（ｃｏｎｎｅｃｔｉｖｉｔｙ）、ならびにセルラ・ネットワークに対する直接的ワイヤレス接続性を有するＰＣを包含することができる。
【０００５】
配置されたモバイル・ネットワークの大部分では、音声呼出しがＣｉｒｃｕｉｔ  Ｓｗｉｔｃｈｅｄ（ＣＳ）ドメインを介して供給される。新しいモバイル・ネットワーク配置では（特に３Ｇ  Ｈｉｇｈ  Ｓｐｅｅｄ  Ｐａｃｋｅｔ  Ａｃｃｅｓｓ（ＨＳＰＡ）および将来のＥ−ＵＴＲＡＮアクセスの出現と共に）、音声が、３ＧＰＰで指定されるＩＰ  Ｍｕｌｔｉｍｅｄｉａ  Ｓｕｂｓｙｓｔｅｍ（ＩＭＳ）を介してＰａｃｋｅｔ  Ｓｗｉｔｃｈｅｄ（ＰＳ）ドメインを介してサポートされることが予想される。ＩＭＳとレガシーＣＳドメインとの間の音声呼出し連続性をサポートするために、３ＧＰＰは、Ｖｏｉｃｅ  Ｃａｌｌ  Ｃｏｎｔｉｎｕｉｔｙ（ＶＣＣ）  ｉｎ  Ｒｅｌｅａｓｅ−７仕様（ＴＳ°２３．２０６）に関する指定作業を開始し、後にこれが非音声ＩＭＳセッションに当てはまるように一般化され、ＩＭＳ  Ｓｅｓｓｉｏｎ  Ｃｏｎｔｉｎｕｉｔｙ  ｉｎ  Ｒｅｌｅａｓｅ−８（ＴＳ°２３．２３７）と呼ばれた。音声連続性のためのＶＣＣ手法では、音声呼出し／セッションが、ＩＭＳネットワーク内に位置するＢａｃｋ−ｔｏ−Ｂａｃｋ  Ｕｓｅｒ  Ａｇｅｎｔ（Ｂ２ＢＵＡ）でアンカリングされ（ａｎｃｈｏｒｅｄ）、Ｓｅｓｓｉｏｎ  Ｃｏｎｔｉｎｕｉｔｙ  Ｃｏｎｔｒｏｌ  Ａｐｐｌｉｃａｔｉｏｎ  Ｓｅｒｖｅｒ（ＳＣＣ  ＡＳ）と呼ばれる。
【０００６】
ＰＳドメイン・ネットワーク（この状況ではソース・ネットワーク）を介する音声呼出しに関与するユーザ装置は、ＳＣＣ  ＡＳとの間でいわゆるＩＭＳ  Ａｃｃｅｓｓ  Ｌｅｇを確立する。ユーザ装置が回線交換通信ネットワーク（この状況ではターゲット・ネットワーク）に移行する場合、回線交換ネットワークは、ＳＣＣ  ＡＳとの間でＣＳ  Ａｃｃｅｓｓ  Ｌｅｇ接続を確立し、これにより、最終的には、ＳＣＣ  ＡＳが、このＣＳ  Ａｃｃｅｓｓ  Ｌｅｇ接続上で音声セッション（ｖｏｉｃｅ  ｓｅｓｓｉｏｎ）の移送を実施し、ＩＭＳ  Ａｃｃｅｓｓ  Ｌｅｇ接続に関連するネットワーク・リソースを解放する。しかし、移送する必要のあるセッションを識別するために、ＳＣＣ  ＡＳは、明示的なセッション識別子を受信する必要がある。このことは通常、手続きが「デュアル無線」コンテキストでどのように動作するかであり、「デュアル無線」コンテキストでは、ＣＳ  Ａｃｃｅｓｓ  Ｌｅｇが、端末自体で確立され、したがって端末は、移送することを望むセッションに関する明示的なアドレス識別子を提供することができる。
【発明の概要】
【０００７】
しかし、このことは（ここでの考慮下では）「単一無線」環境では可能ではない。単一無線環境では、ＣＳ  Ａｃｃｅｓｓ  Ｌｅｇ確立が、ユーザ装置からではなく、ＣＳドメイン・コア・ネットワーク（すなわち、単一無線ＶＣＣ向けに機能強化されたＭＳＣ  Ｓｅｒｖｅｒ）からトリガされるからである。従来技術のシステム（ＣＳドメイン・コア・ネットワーク）は、ユーザが移送することを望むセッションの明示的な識別子を提供することができないので、ユーザが移送することを望むセッションをＳＣＣ  ＡＳが識別することを可能にする新しい方法が求められている。
【０００８】
本発明は、特別なアドレス指定識別子の使用によって回線交換通信システムに対する単一無線音声呼出しの連続性をサポートする新しいプロトコルを確立することにより、回線交換システムに移送する必要のあるセッションの識別の問題を解決する。この特別な識別子は、単一無線音声呼出し手続き識別子（ｓｉｎｇｌｅ  ｒａｄｉｏ  ｖｏｉｃｅ  ｃａｌｌ  ｐｒｏｃｅｄｕｒｅ  ｉｄｅｎｔｉｆｉｅｒ）、略して［「単一無線識別子」（ｓｉｎｇｌｅ  ｒａｄｉｏ  ｉｄｅｎｔｉｆｉｅｒ）または「ＳＲＩ」］と呼ばれ、回線交換通信システムへの移行のための単一無線音声呼出し連続性手続きの使用を指定する。ＳＣＣアプリケーション・サーバは単一無線識別子を受信し、通常なら従来技術の移行プロトコル（例えば「デュアル無線」システム）で必要とされたはずの他のアドレスまたは識別子情報を必要とすることなく、アクティブな音声セッションの移送を実施する。アプリケーション・サーバはまた、単一無線識別子または新しいメッセージ・タイプを使用して、後のステップでのサービス制御セッション確立（ｓｅｒｖｉｃｅ  ｃｏｎｔｒｏｌ  ｓｅｓｓｉｏｎ  ｅｓｔａｂｌｉｓｈｍｅｎｔ）を相関付け、サービス制御セッション確立は、リソースの割振りを援助し、回線交換通信システムへのサービスの移行後の通信システムの性能を改善する。
【０００９】
同様の番号が同様の要素を表す添付の図面と共に読むときに、以下の詳細な説明および添付の特許請求の範囲から、本発明の目的および特徴をより容易に理解されよう。
【図面の簡単な説明】
【００１０】
【図１】３ＧＰＰ  ＴＳ°２３．２１６で指定される、パケット・ベースのＥ−ＵＴＲＡＮアクセスとＧＥＲＡＮまたはＵＴＲＡＮベースの回線交換アクセスとの間の単一無線音声呼出し連続性のためのアーキテクチャを示す図である。
【図２】本発明での単一無線音声呼出し手続き識別子の使用を示すメッセージ・シーケンスである。
【図３】本発明での単一無線音声呼出し手続き識別子の使用、および新しいメッセージ・タイプを示すメッセージ・シーケンスである。
【発明を実施するための形態】
【００１１】
同様の番号が同様の要素を表す添付の図面と共に読むときに、以下の詳細な説明および添付の特許請求の範囲から、本発明の目的および特徴をより容易に理解されよう。
【００１２】
図１では、ユーザ装置１０１に関する単一無線音声呼出し移行を示す、パケット・ベースのＥ−ＵＴＲＡＮアクセスとＧＥＲＡＮまたはＵＴＲＡＮベースの回線交換アクセスとの間の単一無線音声呼出し連続性のための全体的アーキテクチャ１００。回線交換ネットワークへの移行前に、ユーザ装置１０１が、Ｅ−ＵＴＲＡＮサーバ１１５およびＳｅｒｖｉｎｇ／ＰＤＮ  ＧＷゲートウェイ１３５を介する接続１１０を介して、別のサーバ、ユーザ装置、およびＩＰマルチメディア・サブシステム（ＩＭＳ）１３７に結合される。ＩＭＳサブシステム１３７はまた、回線１４０を介してユーザ装置１０１と通信することもできる。回線交換ネットワークへの移行後、ユーザ装置１０１は、Ｔａｒｇｅｔ  ＵＴＲＡＮ／ＧＥＲＡＮサーバ１９０およびＭＳＣ  Ｓｅｒｖｅｒ１９２を介して、別のサーバ、ユーザ装置、またはＩＭＳ１３７に結合される。ＩＭＳネットワーク１３７は、ソース・ネットワークからターゲット・ネットワークへのユーザ装置１０１音声呼出しの移行で使用されるＳｅｓｓｉｏｎ  Ｃｏｎｔｉｎｕｉｔｙ  Ｃｏｎｔｒｏｌ（ＳＣＣ）アプリケーション・サーバ（図示せず）を所有する。
【００１３】
具体的には、ソース・ネットワーク上で、ユーザ装置１０１は、接続１２０を介してＥ−ＵＴＲＡＮサーバ１１５に結合され、Ｅ−ＵＴＲＡＮサーバ１１５は、接続１２５を介してＳｅｒｖｉｎｇ／ＰＤＮ  ＧＷ１３５に結合される。Ｓｅｒｖｉｎｇ／ＰＤＮ  ＧＷ１３５は、接続１３８を介してＩＭＳネットワーク１３７に結合される。Ｅ−ＵＴＲＡＮは、Ｓ１−ＭＭＥ接続１４７を介してＭＭＥサーバ１７０に結合され、Ｓｅｒｖｉｎｇ／ＰＤＮ  ＧＷ１３５は、Ｓ１１接続１４５を介してＭＭＥサーバ１７０に結合される。
【００１４】
ＭＭＥサーバ１７０は、ＳＧａ接続１６０を介してＨｏｍｅ  Ｓｅｒｖｉｎｇ  Ｓｅｒｖｅｒ１５５に結合される。ＭＭＥサーバ１７０は、Ｓｖ接続１７５を介してＭＳＣ  Ｓｅｒｖｅｒ１９２に結合され、ＭＭＥサーバ１７０はＳＧＳＮサーバ１８２に結合され、ＳＧＳＮサーバ１８２は、Ｓ３接続１８０およびＩｕ−ｐｓ／ＧＳ接続１８５を介してそれぞれＴａｒｇｅｔ  ＵＴＲＡＮ／ＧＥＲＡＮサーバ１９０に結合される。
【００１５】
ターゲット・ネットワーク上で、ユーザ装置１０１はＵｍ／Ｕｕ接続１６８を介してターゲットＵＴＲＡＮ／ＧＥＲＡＮサーバ１９０に結合され、ターゲットＵＴＲＡＮ／ＧＥＲＡＮサーバは、Ｉｕ−ｃｓ／Ａ接続１６７を介してＭＳＣ  Ｓｅｒｖｅｒ１９２に結合される。ＭＳＣ  Ｓｅｒｖｅｒ１９２は、接続１５２を介してＩＭＳネットワーク１３７に結合される。
【００１６】
本発明は、ソース・ネットワーク上のＥ−ＵＴＲＡＮサーバ１１５およびＳｅｒｖｉｎｇ／ＰＤＮ  ＧＷゲートウェイ１３５に対する接続性から、ターゲット・ネットワーク上のＴａｒｇｅｔ  ＵＴＲＡＮ／ＧＥＲＡＮ１９０およびＭＳＣ  Ｓｅｒｖｅｒ１９２にユーザ装置１０１を移行するプロトコルを包含する。ターゲット・ネットワークは通常、ソース・ネットワーク上のサービング・エンティティおよびサーバからの移行前にユーザ装置に関する特定のアドレスおよび識別子情報を取得するが、ソース・ネットワーク上で動作する従来技術のプロトコル（例えばデュアル無線）は通常、サービング・エンティティがこのタイプの特定のアドレスおよび識別子情報を処理または所有することを許可しない。さらに、移行を単一無線音声呼出しとして示すことは、適切な移行の処理ならびにネットワーク・リソースの割振りおよび保持のために重要である。本発明は、回線交換ターゲット・ネットワークがアドレスおよび識別子情報を取得する必要を満たすための代替情報を提供する単一無線音声呼出し識別子ＳＲＩを提供する。
【００１７】
本発明では、図２を参照すると、回線交換（ＣＳ）／ＩＭＳ中間ノード２２０が、Ｉｎｔｅｒｍｅｄｉａｔｅ  Ｓｅｒｖｅｒ（Ｉ−Ｓ／ＣＳＣＦ）サーバ２２５にＩＮＶＩＴＥメッセージ２３０を送信し、ＩＮＶＩＴＥメッセージは、単一無線音声呼出し識別子ＳＲＩならびにセッション記述プロトコル情報／媒体記述（ｓｅｓｓｉｏｎ  ｄｅｓｃｒｉｐｔｉｏｎ  ｐｒｏｔｏｃｏｌ  ｉｎｆｏｒｍａｔｉｏｎ／ｍｅｄｉａ）［ＳＤＰ−ＭＧＷ］パラメータを含む。メッセージ２３０内のセッション記述プロトコル情報／媒体記述（ＳＤＰ−ＭＧＷ）パラメータは、ＩＰアドレス、ポート番号、およびネットワークに対するユーザ装置接続のための他の記述情報を含む。
【００１８】
Ｉｎｔｅｒｍｅｄｉａｔｅ  Ｓｅｒｖｅｒ（Ｉ−Ｓ／ＣＳＣＦ）サーバ２２５は、ＩＭＳサブシステム・ネットワーク１３７上のセッション連続性制御アプリケーション・サーバＳＣＣ／ＡＳ２４７にＩＮＶＩＴＥメッセージ２３２を送信する。ＩＮＶＩＴＥメッセージ２３２はまた、単一無線音声呼出し識別子ＳＲＩならびにセッション記述プロトコル情報／媒体記述（ＳＤＰ−ＭＧＷ）パラメータをも含む。ＩＭＳネットワーク１３７上のセッション連続性制御アプリケーション・サーバ２４７は、単一無線音声呼出し識別子ＳＲＩを使用して、ユーザ装置単一無線音声呼出しの移送が要求されたことを判定する。受信時に、ＳＣＣ／ＡＳアプリケーション・サーバ２４７は、ステップ２４０でターゲット回線交換接続に関する適切な情報でアクセス・レッグ接続（ａｃｃｅｓｓ  ｌｅｇ  ｃｏｎｎｅｃｔｉｏｎ）を更新することにより、単一無線音声呼出しに関するアクティブな音声セッションの移送を実施し、適切な情報は、媒体記述、および回線交換ターゲット・ネットワーク上の単一無線音声呼出しの移行をサポートするのに必要な他の情報を含む。
【００１９】
ユーザ装置が回線交換（ＣＳ）ドメイン音声呼出しと並列にＰａｃｋｅｔ  Ｓｗｉｔｃｈｅｄ（ＰＳ）接続を確立することができる場合（例えば、アクセス・ネットワークがＵＴＲＡＮである場合）、その後で、ＩＮＶＩＴＥ伝送２４５が、ユーザ装置１０１からＩｎｔｅｒｍｅｄｉａｔｅ  Ｓｅｒｖｅｒ（Ｉ−Ｓ／ＣＳＣＦ）サーバ２２５に送信され、ＩＮＶＩＴＥメッセージは、単一無線音声呼出し識別子ＳＲＩならびにセッション記述プロトコル情報／回線交換（ＳＤＰ−ｃｓ）パラメータを含む。メッセージ２４５内のセッション記述プロトコル情報／回線交換（ＳＤＰ−ｃｓ）パラメータは、ＩＰアドレス、ポート番号、および回線交換ターゲット・ネットワークへのユーザ装置接続のための他の記述情報を含む。
【００２０】
Ｉｎｔｅｒｍｅｄｉａｔｅ  Ｓｅｒｖｅｒ（Ｉ−Ｓ／ＣＳＣＦ）２２５は、ＩＭＳネットワーク１３７上でセッション連続性制御アプリケーション・サーバＳＣＣ／ＡＳ２４７にＩＮＶＩＴＥメッセージ２４８を送信する。ＩＮＶＩＴＥメッセージ２４８はまた、単一無線音声呼出し識別子ＳＲＩならびにセッション記述プロトコル情報／回線交換（ＳＤＰ−ｃｓ）パラメータをも含む。ステップ２５０では、ＩＭＳネットワーク１３７上のセッション連続性制御アプリケーション・サーバＳＣＣ／ＡＳ２４７は、単一無線音声呼出しインジケータＳＲＩを使用して、アクセス移送要求を、ＩＮＶＩＴＥメッセージ２３２で以前に受信した、アクティブなセッションについて受信したアクセス移送要求と相関付ける。ステップ２５５では、ＳＣＣ／ＡＳ２４７はまた、ソース・ネットワーク・アクセス・レッグに関連するリソースを解放する。
【００２１】
本発明では、図３を参照すると、回線交換（ＣＳ）／ＩＭＳ中間ノード３２０が、Ｉｎｔｅｒｍｅｄｉａｔｅ  Ｓｅｒｖｅｒ（Ｉ−Ｓ／ＣＳＣＦ）サーバ３２５にＩＮＶＩＴＥメッセージ３３０を送信し、ＩＮＶＩＴＥメッセージが、単一無線音声呼出し識別子ＳＲＩならびにセッション記述プロトコル情報／媒体記述（ＳＤＰ−ＭＧＷ）パラメータを含む。メッセージ３３０内のセッション記述プロトコル情報／媒体記述（ＳＤＰ−ＭＧＷ）パラメータは、ＩＰアドレス、ポート番号、およびネットワークに対するユーザ装置接続のための他の記述情報を含む。
【００２２】
Ｉｎｔｅｒｍｅｄｉａｔｅ  Ｓｅｒｖｅｒ（Ｉ−Ｓ／ＣＳＣＦ）サーバ３２５は、ＩＭＳネットワーク１３７上でセッション連続性制御アプリケーション・サーバＳＣＣ／ＡＳ３４７にＩＮＶＩＴＥメッセージ３３２を送信する。ＩＮＶＩＴＥメッセージ３３２はまた、単一無線音声呼出し識別子ＳＲＩならびにセッション記述プロトコル情報／媒体記述（ＳＤＰ−ＭＧＷ）パラメータをも含む。ＩＭＳネットワーク１３７上のセッション連続性制御アプリケーション・サーバ３４７は、単一無線音声呼出し識別子ＳＲＩを使用して、ユーザ装置単一無線音声呼出しの移送が要求されたことを判定する。受信時に、ＳＣＣ／ＡＳアプリケーション・サーバ３４７は、ステップ３４０でターゲット回線交換接続に関する適切な情報でアクセス・レッグ接続を更新することにより、単一無線音声呼出しに関するアクティブな音声セッションの移送を実施し、適切な情報は、媒体記述、および回線交換ターゲット・ネットワーク上の単一無線音声呼出しの移行をサポートするのに必要な他の情報を含む。
【００２３】
その後で、ＲＥ−ＩＮＶＩＴＥ伝送メッセージ３４５が、ユーザ装置１０１からＩｎｔｅｒｍｅｄｉａｔｅ  Ｓｅｒｖｅｒ（Ｉ−Ｓ／ＣＳＣＦ）サーバ３２５に送信され、ＲＥ−ＩＮＶＩＴＥメッセージは、そのメッセージ・フォーマットにより、ＲＥ−ＩＮＶＩＴＥメッセージが既存のＳＩＰダイアログに関係することをサーバに対して示す。Ｉｎｔｅｒｍｅｄｉａｔｅ  Ｓｅｒｖｅｒ（Ｉ−Ｓ／ＣＳＣＦ）３２５は、ステップ３４８で、ＲＥ−ＩＮＶＩＴＥメッセージをＩＭＳネットワーク１３７上のセッション連続性制御アプリケーション・サーバＳＣＣ／ＡＳ３４７に送信する。ステップ３５０では、ＩＭＳネットワーク１３７上のセッション連続性制御アプリケーション・サーバ３４７は、ＲＥ−ＩＮＶＩＴＥメッセージおよびその中の関連情報を使用して、アクセス移送要求を、ＩＮＶＩＴＥメッセージ３３２で以前に受信した、音声セッションについて受信したアクセス移送要求と相関付ける。ステップ３５５では、ＳＣＣ／ＡＳ３４７はまた、ソース・ネットワーク・アクセス・レッグに関連するリソースを解放する。
【００２４】
本発明の修正形態は、セキュリティ関連付けが有効であり、他の必要な要件が維持される限り、様々な識別子を収容するように修正すべき回線交換ネットワークへの単一無線音声呼出しの移行を可能にする。本発明の好ましい実施形態を図示し、説明したが、本発明の精神および教示から逸脱することなく、その修正を当業者は行うことができる。例えば、同じ解決策が、ＩＭＳ  ｏｖｅｒ  ３Ｇ  ＵＴＲＡＮ／ＨＳＰＡアクセスからＧＥＲＡＮ／ＵＴＲＡＮ  ＣＳドメイン・アクセスへの単一無線音声呼出し連続性のためのアーキテクチャにも当てはまる。本明細書に記載の実施形態は例示的なものに過ぎず、限定的なものではないものとする。本明細書で開示された本発明の多数の変形形態および修正形態が可能であり、それらは本発明の範囲内にある。
【図１】
0005389160.tif 000002
【図２】
0005389160.tif 000003
【図３】
0005389160.tif 000004